【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
表面と裏面を備える第１光制御部と、前記第１光制御部の端部から前記裏面の側に突出し前記裏面の側を向く面で光を制御する第２光制御部と、前記第２光制御部よりも外側において前記第１光制御部の前記端部から前記裏面の側に突き出た側面部と、前記側面部の内側に突出する第１嵌合部とを備える第１部材と、
光を透過させる第３光制御部と、前記第３光制御部と一体化され前記第３光制御部の端部側から前記第３光制御部の平面方向に伸びる第２嵌合部とを備え、前記第１、３光制御部が互いに重なるように前記第１部材と一体化される第２部材と、
を備え、
前記側面部は、前記裏面から離れるように外側に可逆的に開くことが可能であり、
前記第１嵌合部と前記第２嵌合部とが互いに嵌合することで前記第３光制御部を広げたままで前記第１部材および前記第２部材が一体化され、
前記側面部を前記外側に開くことで前記第１嵌合部と前記第２嵌合部を互いに離脱できる光制御部材。
【請求項２】
前記第１嵌合部と前記第２嵌合部のうち一方が、先端に、互いに長さの異なる第１嵌合片および第２嵌合片を備え、
前記第２嵌合片は、前記第１嵌合片よりも前記第１部材の側に設けられかつ前記第１嵌合片よりも短く、
前記第１嵌合部と前記第２嵌合部のうち他方の先端が、前記第１嵌合片および前記第２嵌合片の間に収まる請求項１に記載の光制御部材。
【請求項３】
前記側面部を前記外側に開いたとき当該側面部が弾性変形した状態で前記第１、２嵌合部の離脱が可能である請求項１または２に記載の光制御部材。
【請求項４】
前記第１〜３光制御部が、互いに異なる光制御を行う請求項１〜３のいずれか１項に記載の光制御部材。
【請求項５】
前記第１部材の全体が透明材料で形成され、
前記第１光制御部は、光透過部であり、
前記第２光制御部が、前記裏面の側を向く面で光を反射する第１光反射部であり、
前記第３光制御部が、光を拡散させる光拡散部である請求項４に記載の光制御部材。
【請求項６】
前記第２部材は、前記第３光制御部と前記第２嵌合部との間に段差を形成するように前記第３光制御部と前記第２嵌合部とを接続する第４光制御部を備える請求項１〜５のいずれか１項に記載の光制御部材。
【請求項７】
前記第４光制御部は、第２光反射部である請求項６に記載の光制御部材。
【請求項８】
前記第２光反射部は、反射率が９０％以上であり、拡散成分を有する請求項７に記載の光制御部材。
【請求項９】
前記第１部材および前記第２部材は、断面形状を長さ方向に連続的に伸ばした形状を有する請求項１〜８のいずれか１項に記載の光制御部材。
【請求項１０】
光透過性材料で形成され表面と裏面を備える第１光制御部と、
前記第１光制御部の端部から前記裏面の側に突出し前記裏面の側を向く面で光を反射する第２光制御部と、
前記第２光制御部よりも外側において前記第１光制御部の前記端部から前記裏面の側に突出し前記裏面から離れるように外側に可逆的に開くことが可能である側面部と、
前記側面部の内側に突出し、光を透過させる第３光制御部を保持するための第１嵌合部と、
を備える光制御部材。
【請求項１１】
前記第２光制御部の前記裏面の側を向く面に、凹凸が設けられた請求項１０に記載の光制御部材。
【請求項１２】
光を透過させる光制御部と、
前記光制御部と一体化され前記光制御部の端部側から前記光制御部の平面方向に伸びる第２嵌合部と、
を備える光制御部材。
【請求項１３】
前記第２嵌合部の先端に、互いに長さの異なる第１嵌合片および第２嵌合片が設けられた請求項１２に記載の光制御部材。
【請求項１４】
発光素子を備える発光部と、
表面と裏面を備える第１光制御部と、前記第１光制御部の端部から前記裏面の側に突出し前記裏面の側を向く面で光を制御する第２光制御部と、前記第２光制御部よりも外側において前記第１光制御部の前記端部から前記裏面の側に突き出た側面部と、前記側面部の内側に突出する第１嵌合部とを備え、前記第１光制御部で前記発光素子を覆うように前記発光部に重ねられた第１部材と、
第３光制御部と、前記第３光制御部と一体化され前記第３光制御部の端部側から前記第３光制御部の平面方向に伸びる第２嵌合部とを備え、前記第１、３光制御部が互いに重なるように前記第１部材と一体化され、前記第１部材の内側に取り付けられて前記第３光制御部で前記発光素子を覆うように設けられた第２部材と、
を備え、
前記側面部は、前記裏面から離れるように外側に可逆的に開くことが可能であり、
前記第１嵌合部と前記第２嵌合部とが互いに嵌合することで前記第３光制御部を広げたままで前記第１部材および前記第２部材が一体化され、
前記側面部を前記外側に開くことで前記第１嵌合部と前記第２嵌合部を互いに離脱できる光源ユニット。
【請求項１５】
点灯装置を内蔵した器具本体部と、
前記器具本体部に取り付けられ前記点灯装置で点灯される光源ユニットと、
を備え、
前記光源ユニットは、
発光素子を備える発光部と、
表面と裏面を備える第１光制御部と、前記第１光制御部の端部から前記裏面の側に突出し前記裏面の側を向く面で光を制御する第２光制御部と、前記第２光制御部よりも外側において前記第１光制御部の前記端部から前記裏面の側に突き出た側面部と、前記側面部の内側に突出する第１嵌合部とを備え、前記第１光制御部で前記発光素子を覆うように前記発光部に重ねられた第１部材と、
第３光制御部と、前記第３光制御部と一体化され前記第３光制御部の端部側から前記第３光制御部の平面方向に伸びる第２嵌合部とを備え、前記第１、３光制御部が互いに重なるように前記第１部材と一体化され、前記第１部材の内側に取り付けられて前記第３光制御部で前記発光素子を覆うように設けられた第２部材と、
を備え、
前記側面部は、前記裏面から離れるように外側に可逆的に開くことが可能であり、
前記第１嵌合部と前記第２嵌合部とが互いに嵌合することで前記第３光制御部を広げたままで前記第１部材および前記第２部材が一体化され、
前記側面部を前記外側に開くことで前記第１嵌合部と前記第２嵌合部を互いに離脱できる照明器具。
【手続補正２】
【補正対象書類名】明細書
【補正対象項目名】００１１
【補正方法】変更
【補正の内容】
【００１１】
本発明にかかる光制御部材は、表面と裏面を備える第１光制御部と、前記第１光制御部の端部から前記裏面側に突出し前記裏面側を向く面で光を制御する第２光制御部と、前記第２光制御部よりも外側において前記第１光制御部の前記端部から前記裏面側に突き出た側面部と、前記側面部の内側に突出する第１嵌合部とを備える第１部材と、光を透過させる第３光制御部と、前記第３光制御部と一体化され前記第３光制御部の端部側から前記第３光制御部の平面方向に伸びる第２嵌合部とを備え、前記第１、３光制御部が互いに重なるように前記第１部材と一体化される第２部材と、を備え、前記側面部は、前記裏面から離れるように外側に可逆的に開くことが可能であり、前記第１嵌合部と前記第２嵌合部とが互いに嵌合することで前記第３光制御部を広げたままで前記第１部材および前記第２部材が一体化され、前記側面部を前記外側に開くことで前記第１嵌合部と前記第２嵌合部を互いに離脱できる。
【手続補正３】
【補正対象書類名】明細書
【補正対象項目名】００１２
【補正方法】変更
【補正の内容】
【００１２】
本発明にかかる他の光制御部材は、光透過性材料で形成され表面と裏面を備える第１光制御部と、前記第１光制御部の端部から前記裏面側に突出し前記裏面側を向く面で光を反射する第２光制御部と、前記第２光制御部よりも外側において前記第１光制御部の前記端部から前記裏面側に突出し前記裏面から離れるように外側に可逆的に開くことが可能である側面部と、前記側面部の内側に突出し、光を透過させる第３光制御部を保持するための第１嵌合部と、を備える。
【手続補正４】
【補正対象書類名】明細書
【補正対象項目名】００１３
【補正方法】変更
【補正の内容】
【００１３】
本発明にかかる更に他の光制御部材は、光を透過させる光制御部と、前記光制御部と一体化され前記光制御部の端部側から前記光制御部の平面方向に伸びる第２嵌合部と、を備える。